(57)【要約】【課題】商品サービス情報生成表示システム、商品サービス情報生成サーバ、商品サービス情報生成方法及び商品サービス情報生成プログラムを提供する。【解決手段】商品サービス情報生成表示システム１０は、商品サービス一般個別情報を有する商品サービス一般データが記録された商品サービス一般情報テーブル５２、商品サービス説明個別情報を有する商品サービス説明データが記録された商品サービス説明情報テーブル５４、商品サービス個別情報を有する商品サービスデータが記録された商品サービス情報テーブル５６、商品サービス一般情報テーブル５２から商品サービス一般個別情報を取得する商品サービス一般情報処理部３６、商品サービス説明情報テーブル５４から商品サービス説明個別情報を取得する商品サービス説明情報処理部３８、商品サービステーブルから商品サービス個別情報を取得する商品サービス情報処理部４０を備える。【選択図】図１
2020030451.tif 000002
【特許請求の範囲】
【請求項１】
商品サービス一般個別情報を有する商品サービス一般データが記録された商品サービス一般情報テーブルと、
商品サービス説明個別情報を有する商品サービス説明データが記録された商品サービス説明情報テーブルと、
前記商品サービス一般情報テーブルから前記商品サービス一般個別情報を取得する商品サービス一般情報処理部と、
前記商品サービス説明情報テーブルから前記商品サービス説明個別情報を取得する商品サービス説明情報処理部と、
を備え、
取得された前記商品サービス一般個別情報と、取得された前記商品サービス説明個別情報と、着色データとを有する表示データを生成し、端末に前記表示データを送信する商品サービス情報生成表示システムであって、
前記端末は、前記表示データを受信し、前記着色データに基づいて、前記商品サービス一般個別情報及び前記商品サービス説明個別情報の側部を着色し、前記表示データを表示することを特徴とする商品サービス情報生成表示システム。
【請求項２】
請求項１に記載の商品サービス情報生成表示システムにおいて、
商品サービス情報生成表示システムは、
商品サービス個別情報を有する商品サービスデータが記録された商品サービス情報テーブルと、
前記商品サービステーブルから前記商品サービス個別情報を取得する商品サービス情報処理部と、
を有し、
前記表示データは、前記商品サービス個別情報を有し、
前記端末は、前記表示データを受信し、前記着色データに基づいて、前記商品サービス一般個別情報、前記商品サービス説明個別情報及び前記商品サービス個別情報の側部を着色し、前記表示データを表示することを特徴とする商品サービス情報生成表示システム。
【請求項３】
請求項１又は２に記載の商品サービス情報生成表示システムにおいて、
前記表示データは、ヘッダバーを表示するための上部データを有し、
前記端末は、前記表示データを受信し、前記上部データ及び前記着色データに基づいて、前記ヘッダバーを着色し、前記表示データを表示することを特徴とする商品サービス情報生成表示システム。
【請求項４】
商品サービス一般個別情報を有する商品サービス一般データが記録された商品サービス一般情報テーブルと、
商品サービス説明個別情報を有する商品サービス説明データが記録された商品サービス説明情報テーブルと、
前記商品サービス一般情報テーブルから前記商品サービス一般個別情報を取得する商品サービス一般情報処理部と、
前記商品サービス説明情報テーブルから前記商品サービス説明個別情報を取得する商品サービス説明情報処理部と、
を備え、
取得された前記商品サービス一般個別情報と、前記商品サービス説明個別情報と、着色データとを有する表示データを生成し、
前記着色データに基づいて、前記商品サービス一般個別情報及び前記商品サービス説明個別情報の側部が着色されることを特徴とする商品サービス情報生成サーバ。
【請求項５】
請求項４に記載の商品サービス情報生成サーバにおいて、
商品サービス個別情報を有する商品サービスデータが記録された商品サービス情報テーブルと、
前記商品サービステーブルから前記商品サービス個別情報を取得する商品サービス情報処理部と、
を有し、
前記表示データは、前記商品サービス個別情報を有し、
前記着色データに基づいて、前記商品サービス一般個別情報、前記商品サービス説明個別情報及び前記商品サービス個別情報の側部が着色されることを特徴とする商品サービス情報生成サーバ。
【請求項６】
請求項４又は５に記載の商品サービス情報生成サーバにおいて、
前記表示データは、ヘッダバーを表示するための上部データを有することを特徴とする商品サービス情報生成サーバ。
【請求項７】
商品サービス一般情報テーブルには、商品サービス一般個別情報を有する商品サービス一般データが記録され、商品サービス説明情報テーブルには、商品サービス説明個別情報を有する商品サービス一般データが記録され、
前記商品サービス一般情報テーブルから前記商品サービス一般個別情報を取得する商品サービス一般情報処理工程と、
前記商品サービス説明情報テーブルから前記商品サービス説明個別情報を取得する商品サービス説明情報処理工程と、
取得された前記商品サービス一般個別情報と、前記商品サービス説明個別情報と、着色データとを有する表示データを生成する工程と、
を備え、
前記着色データに基づいて、前記商品サービス一般個別情報及び前記商品サービス説明個別情報の側部が着色されることを特徴とする商品サービス情報生成方法。
【請求項８】
請求項７に記載の商品サービス情報生成方法において、
商品サービス情報テーブルに商品サービス個別情報を有する商品サービスデータが記録され、
前記商品サービステーブルから前記商品サービス個別情報を取得する商品サービス情報処理工程
を有し、
前記表示データは、前記商品サービス個別情報を有し、
前記着色データに基づいて、前記商品サービス一般個別情報、前記商品サービス説明個別情報及び前記商品サービス個別情報の側部が着色されることを特徴とする商品サービス情報生成方法。
【請求項９】
請求項７又は８に記載の商品サービス情報生成方法において、
前記表示データは、ヘッダバーを表示するための上部データを有することを特徴とする商品サービス情報生成方法。
【請求項１０】
商品サービス一般情報テーブルには、商品サービス一般個別情報を有する商品サービス一般データが記録され、商品サービス説明情報テーブルには、商品サービス説明個別情報を有する商品サービス一般データが記録され、
前記商品サービス一般情報テーブルから前記商品サービス一般個別情報を取得する商品サービス一般情報処理工程と、
前記商品サービス説明情報テーブルから前記商品サービス説明個別情報を取得する商品サービス説明情報処理工程と、
取得された前記商品サービス一般個別情報と、前記商品サービス説明個別情報と、着色データとを有する表示データを生成する工程とを、
コンピュータに実行させ、
前記着色データに基づいて、前記商品サービス一般個別情報及び前記商品サービス説明個別情報の側部が着色されることを特徴とする商品サービス情報生成プログラム。
【請求項１１】
請求項１０に記載の商品サービス情報生成プログラムにおいて、
商品サービス情報テーブルに商品サービス個別情報を有する商品サービスデータが記録され、
前記商品サービステーブルから前記商品サービス個別情報を取得する商品サービス情報処理工程を、
前記コンピュータに実行させ、
前記表示データは、前記商品サービス個別情報を有し、
前記着色データに基づいて、前記商品サービス一般個別情報、前記商品サービス説明個別情報及び前記商品サービス個別情報の側部が着色されることを特徴とする商品サービス情報生成プログラム。
【請求項１２】
請求項１０又は１１に記載の商品サービス情報生成プログラムにおいて、
前記表示データは、ヘッダバーを表示するための上部データを有することを特徴とする商品サービス情報生成プログラム。
【発明の詳細な説明】
【技術分野】
【０００１】
本発明は、商品サービスに関する表示データを生成する商品サービス情報生成サーバ、商品サービス情報生成方法及び商品サービス情報生成プログラム、商品サービスに関する表示データを生成し、表示する商品サービス情報生成表示システムに関する。
【背景技術】
【０００２】
近年、インターネットを利用して情報を収集する利用者に対して、利用者の興味を考慮して、情報を送信するシステムが知られている（特許文献１参照）。
【０００３】
特許文献１のシステムは、ドキュメント分析手段及びコンテンツ付加手段を有するサーバ、ドキュメント受信手段、表示手段及びコンテンツ入替手段を有する情報処理装置とを備えている。
【０００４】
特許文献１のシステムでは、ドキュメント分析手段により興味度に基づいて分析されたドキュメントに、コンテンツ付加手段が関連するドキュメントが付加されて、情報処理装置に送信される。情報処理装置は、受信した前記ドキュメントをコンテンツ入替手段により興味度に基づいてドキュメントの表示順を入れ替え、表示手段でドキュメントを表示している。
【０００５】
また、文書を表示させる際に、表示領域の背景色や文字色を変更して表示させたり（特許文献２参照）、携帯端末で文書を表示させる際に、表示領域の背景色や文字色を変更して表示させたり（特許文献３参照）、コンテンツの表示内容を色等の識別情報に基づき変更する（特許文献４参照）技術が知られている。
【先行技術文献】
【特許文献】
【０００６】
【特許文献１】特開２０１７−１５１７２５号公報
【特許文献２】特開２００４−９４８０１号公報
【特許文献３】特開２００８−１５９０７０号公報
【特許文献４】特開２０１７−２７１８５号公報
【発明の概要】
【発明が解決しようとする課題】
【０００７】
しかしながら、特許文献１のシステムでは、情報処理装置において、利用者の興味度に応じて、ドキュメントの表示順が入れ替えられている。従って、情報処理装置でドキュメントを受信してから、表示するまでの処理時間が必要となり、また、情報処理装置の処理負荷が大きい。また、情報処理装置に送信されたドキュメントは、一般的な社会的な興味度に応じて、分析されており、利用者の興味を考慮して、最適化されたドキュメントではないという問題がある。さらに、特許文献２〜４では、利用者が文書等を閲覧している場合に、閲覧対象の内容が不明確になるおそれがある。
【０００８】
本発明は、上記の課題を考慮してなされたものであって、利用者が閲覧対象を明確に認識できる表示データを作成する商品サービス情報生成サーバ、商品サービス情報生成方法及び商品サービス情報生成プログラムと、利用者が閲覧対象を明確に認識できる表示データを作成し、表示する商品サービス情報生成表示システムを提供することを目的とする。
【課題を解決するための手段】
【０００９】
本発明に係る商品サービス情報生成表示システムは、商品サービス一般個別情報を有する商品サービス一般データが記録された商品サービス一般情報テーブルと、商品サービス説明個別情報を有する商品サービス説明データが記録された商品サービス説明情報テーブルと、前記商品サービス一般情報テーブルから前記商品サービス一般個別情報を取得する商品サービス一般情報処理部と、前記商品サービス説明情報テーブルから前記商品サービス説明個別情報を取得する商品サービス説明情報処理部と、を備え、取得された前記商品サービス一般個別情報と、取得された前記商品サービス説明個別情報と、着色データとを有する表示データを生成し、端末に前記表示データを送信する商品サービス情報生成表示システムであって、前記端末は、前記表示データを受信し、前記着色データに基づいて、前記商品サービス一般個別情報及び前記商品サービス説明個別情報の側部を着色し、前記表示データを表示することを特徴とする商品サービス情報生成表示システム。
【００１０】
前記商品サービス情報生成表示システムにおいて、商品サービス情報生成表示システムは、商品サービス個別情報を有する商品サービスデータが記録された商品サービス情報テーブルと、前記商品サービステーブルから前記商品サービス個別情報を取得する商品サービス情報処理部と、を有し、前記表示データは、前記商品サービス個別情報を有し、前記端末は、前記表示データを受信し、前記着色データに基づいて、前記商品サービス一般個別情報、前記商品サービス説明個別情報及び前記商品サービス個別情報の側部を着色し、前記表示データを表示することを特徴とする。
【００１１】
前記商品サービス情報生成表示システムにおいて、前記表示データは、ヘッダバーを表示するための上部データを有し、前記端末は、前記表示データを受信し、前記上部データ及び前記着色データに基づいて、前記ヘッダバーを着色し、前記表示データを表示することを特徴とする。
【００１２】
本発明に係る商品サービス情報生成サーバは、商品サービス一般個別情報を有する商品サービス一般データが記録された商品サービス一般情報テーブルと、商品サービス説明個別情報を有する商品サービス説明データが記録された商品サービス説明情報テーブルと、前記商品サービス一般情報テーブルから前記商品サービス一般個別情報を取得する商品サービス一般情報処理部と、前記商品サービス説明情報テーブルから前記商品サービス説明個別情報を取得する商品サービス説明情報処理部と、を備え、取得された前記商品サービス一般個別情報と、前記商品サービス説明個別情報と、着色データとを有する表示データを生成し、前記着色データに基づいて、前記商品サービス一般個別情報及び前記商品サービス説明個別情報の側部が着色されることを特徴とする。
【００１３】
前記商品サービス情報生成サーバにおいて、商品サービス個別情報を有する商品サービスデータが記録された商品サービス情報テーブルと、前記商品サービステーブルから前記商品サービス個別情報を取得する商品サービス情報処理部と、を有し、前記表示データは、前記商品サービス個別情報を有し、前記着色データに基づいて、前記商品サービス一般個別情報、前記商品サービス説明個別情報及び前記商品サービス個別情報の側部が着色されることを特徴とする。
【００１４】
前記商品サービス情報生成サーバにおいて、前記表示データは、ヘッダバーを表示するための上部データを有することを特徴とする。
【００１５】
本発明に係る商品サービス情報生成方法は、商品サービス一般情報テーブルには、商品サービス一般個別情報を有する商品サービス一般データが記録され、商品サービス説明情報テーブルには、商品サービス説明個別情報を有する商品サービス一般データが記録され、前記商品サービス一般情報テーブルから前記商品サービス一般個別情報を取得する商品サービス一般情報処理工程と、前記商品サービス説明情報テーブルから前記商品サービス説明個別情報を取得する商品サービス説明情報処理工程と、取得された前記商品サービス一般個別情報と、前記商品サービス説明個別情報と、着色データとを有する表示データを生成する工程と、を備え、前記着色データに基づいて、前記商品サービス一般個別情報及び前記商品サービス説明個別情報の側部が着色されることを特徴とする。
【００１６】
前記商品サービス情報生成方法において、商品サービス情報テーブルに商品サービス個別情報を有する商品サービスデータが記録され、前記商品サービステーブルから前記商品サービス個別情報を取得する商品サービス情報処理工程を有し、前記表示データは、前記商品サービス個別情報を有し、前記着色データに基づいて、前記商品サービス一般個別情報、前記商品サービス説明個別情報及び前記商品サービス個別情報の側部が着色されることを特徴とする。
【００１７】
前記商品サービス情報生成方法において、前記表示データは、ヘッダバーを表示するための上部データを有することを特徴とする。
【００１８】
本発明に係る商品サービス情報生成プログラムは、商品サービス一般情報テーブルには、商品サービス一般個別情報を有する商品サービス一般データが記録され、商品サービス説明情報テーブルには、商品サービス説明個別情報を有する商品サービス一般データが記録され、前記商品サービス一般情報テーブルから前記商品サービス一般個別情報を取得する商品サービス一般情報処理工程と、前記商品サービス説明情報テーブルから前記商品サービス説明個別情報を取得する商品サービス説明情報処理工程と、取得された前記商品サービス一般個別情報と、前記商品サービス説明個別情報と、着色データとを有する表示データを生成する工程とを、コンピュータに実行させ、前記着色データに基づいて、前記商品サービス一般個別情報及び前記商品サービス説明個別情報の側部が着色されることを特徴とする。
【００１９】
前記商品サービス情報生成プログラムにおいて、商品サービス情報テーブルに商品サービス個別情報を有する商品サービスデータが記録され、前記商品サービステーブルから前記商品サービス個別情報を取得する商品サービス情報処理工程を、前記コンピュータに実行させ、前記表示データは、前記商品サービス個別情報を有し、前記着色データに基づいて、前記商品サービス一般個別情報、前記商品サービス説明個別情報及び前記商品サービス個別情報の側部が着色されることを特徴とする。
【００２０】
前記商品サービス情報生成プログラムにおいて、前記表示データは、ヘッダバーを表示するための上部データを有することを特徴とする。
【発明の効果】
【００２１】
本発明の商品サービス情報生成表示システムでは、表示内容に応じて、ヘッドバー及び情報の側部を色で峻別することにより、利用者は、閲覧対象を明確に認識することができる。
【図面の簡単な説明】
【００２２】
【図１】本発明の実施形態に係る商品サービス情報生成表示システムの説明図である。
【図２】端末の説明図である。
【図３】図３Ａは利用者情報テーブルの説明図であり、図３Ｂは商品サービス一般情報テーブルの説明図であり、図３Ｃは商品サービス説明情報テーブルの説明図であり、図３Ｄは商品サービス情報テーブルである。
【図４】本発明の実施形態の処理手順の説明図である。
【図５】表示データの説明図である。
【図６】図６Ａは、商品サービス一般個別情報表示内容を表示している状態を示す図であり、図６Ｂは、商品サービス一般個別情報表示内容及び商品サービス説明個別情報表示内容を表示している状態を示す図であり、図５Ｃは、商品サービス説明個別情報表示内容を表示している状態を示す図であり、図５Ｄは、商品サービス個別情報表示内容を表示している状態を示す図である。
【図７】本発明の実施形態の変形例の処理手順の説明図である。
【図８】図８Ａは、変形例の表示データの説明図であり、図８Ｂは、変形例の表示内容の説明図である。
【図９】商品サービス情報生成サーバの機能を実現するコンピュータの一例を示すハードウェアの説明図である。
【発明を実施するための形態】
【００２３】
以下に、本願に係る商品サービス情報生成表示システム、商品サービス情報生成サーバ、商品サービス情報生成方法及び商品サービス情報生成プログラムを実施するための形態（以下、「実施形態」という）について、図面を参照しつつ詳細に説明する。図１は、本発明の実施形態に係る商品サービス情報生成表示システム１０の説明図であり、図２は、端末８０の説明図であり、図３Ａは利用者情報テーブル５０の説明図であり、図３Ｂは商品サービス一般情報テーブル５２の説明図であり、図３Ｃは商品サービス説明情報テーブル５４の説明図であり、図３Ｄは商品サービス情報テーブル５６の説明図である。
【００２４】
＜商品サービス情報生成表示システム１０の構成の説明＞
商品サービス情報生成表示システム１０は、商品サービス情報生成サーバ３０及び端末８０を備える。端末８０は、公衆回線２０を介して商品サービス情報生成サーバ３０に接続可能である。公衆回線２０は、インターネット等で構成される公衆回線である。
【００２５】
商品サービス情報生成サーバ３０は、制御部３２、表示制御部４２、記憶部４４、通信部４６及びデータベース部４８を備え、これらがバス５８に接続されている。
【００２６】
制御部３２は、例えば、ＣＰＵ（Central Processing Unit）やＭＰＵ（Micro Processing Unit）等によって構成される。制御部３２では、商品サービス情報生成サーバ３０内の記憶装置に記憶されている各種プログラムがＲＡＭ（Random Access Memory）上にロードされ、実行される。制御部３２は、例えば、ＡＳＩＣ（Application Specific Integrated Circuit）やＦＰＧＡ（Field Programmable Gate Array）等の集積回路により実現される。
【００２７】
制御部３２は、利用者情報処理部３４、商品サービス一般情報処理部３６、商品サービス説明情報処理部３８及び商品サービス情報処理部４０を備える。データベース部４８は、利用者情報テーブル５０、商品サービス一般情報テーブル５２、商品サービス説明情報テーブル５４及び商品サービス情報テーブル５６を備える。
【００２８】
利用者情報処理部３４は、端末８０の商品サービス情報生成サーバ３０への認証をする機能、利用者情報テーブル５０を管理する機能を有する。
【００２９】
商品サービス一般情報処理部３６は、利用者情報処理部３４によって取得された利用者検索キーワードに基づいた商品サービス一般情報テーブル５２を検索する機能、商品サービス一般情報テーブル５２を管理する機能を有する。また、商品サービス一般情報処理部３６は、後述する商品サービス一般個別情報の上部に表示されるヘッダバーを生成するための上部データ６０及び商品サービス一般個別情報の側部を着色するための着色データ６２ａを生成する機能を有する。
【００３０】
商品サービス説明情報処理部３８は、商品サービス一般情報処理部３６によって取得された商品サービス一般検索キーワードに基づいた商品サービス説明情報テーブル５４を検索する機能、商品サービス説明情報テーブル５４を管理する機能を有する。また、商品サービス説明情報処理部３８は、後述する商品サービス説明個別情報の側部を着色するための着色データ６２ｂを生成する機能を有する。
【００３１】
商品サービス情報処理部４０は、商品サービス説明情報処理部３８によって取得された商品サービス説明検索キーワードに基づいた商品サービス情報テーブル５６を検索する機能、商品サービス情報テーブル５６を管理する機能を有する。また、商品サービス情報処理部４０は、後述する商品サービス個別情報の側部を着色するための着色データ６２ｃを生成する機能を有する。
【００３２】
利用者情報テーブル５０には、利用者個別情報と利用者検索キーワードと閲覧履歴とを備える利用者データが記録される。利用者個別情報として、利用者名（Ｎ）、ＩＤ（Ｉ）、パスワード（Ｐ）、メールアドレス（Ｍ）、性別（Ｓ）、年齢（Ａ）、血液型（Ｂ）、身長（Ｈ）、体重（Ｗ）等が利用者情報テーブル５０に記録される。また、利用者検索キーワードとして、利用者個別情報に基づいたキーワード、利用者の趣味、趣向、職業、資産等に基づいて生成されたキーワードが利用者情報テーブル５０に記録される。さらに、閲覧履歴には、利用者が閲覧した日時、閲覧時間、利用者が閲覧した記事等に基づいて作成されたキーワードが記録される。
【００３３】
図３Ａに示されるように、利用者情報テーブル５０には、一例として、利用者ＩＤ（Ｉ）としてＩａ、パスワード（Ｐ）としてＰａが記憶されている。
【００３４】
商品サービス一般情報テーブル５２には、商品サービス一般個別情報と商品サービス一般検索キーワードとを備える商品サービス一般データが記録される。商品サービス一般個別情報としては、新聞社、通信社、放送局、出版社等のマスメディアから収集された健康、ヘルスケアに関するニュース、報道等である。商品サービス一般個別情報は、テキスト情報、画像データ、動画データ、音声データ等から構成される。商品サービス一般検索キーワードは、商品サービス一般個別情報に基づいて生成されたキーワードである。
【００３５】
商品サービス説明情報テーブル５４には、商品サービス説明個別情報と商品サービス説明検索キーワードとを備える商品サービス説明データが記録される。商品サービス説明個別情報としては、医師、行政庁、製薬メーカ、食品メーカ等の専門機関から収集された健康、ヘルスケアに関する説明である。商品サービス説明個別情報は、テキスト情報、画像データ、動画データ、音声データ等から構成される。商品サービス説明検索キーワードは、商品サービス説明個別情報に基づいて生成されたキーワードである。
【００３６】
商品サービス情報テーブル５６には、商品サービス個別情報と商品サービス検索キーワードとを備える商品サービスデータが記録される。商品サービス個別情報は、病気に対する治療方法、対処方法、病院等を含む、医療機関の情報、商品名、価格、用途、効能等に関する情報である。商品サービス検索キーワードは、商品サービス個別情報に基づいて生成されたキーワードである。商品サービス情報テーブル５６に記録される商品サービスデータは、上述した専門機関から提供されたデータである。
【００３７】
表示制御部４２は、記憶部４４に記憶される情報に基づいて端末８０に表示させる表示データ６４を生成し、端末８０に送信する機能を有する。記憶部４４には、端末８０に送信される商品サービス一般個別情報と商品サービス説明個別情報と商品サービス個別情報が記憶される。通信部４６は、端末８０と通信するための機能を有する。
【００３８】
端末８０は、通信機能を有する端末である。端末８０は、端末制御部８２、端末記憶部８４、端末通信部８６及び端末表示部８８を備え、これらがバス９０に接続されている。端末制御部８２は、ＣＰＵ等によって構成される。端末通信部８６は、商品サービス情報生成サーバ３０と通信するための機能を有する。端末表示部８８は、商品サービス情報生成サーバ３０から受信した表示データ６４を表示する表示部である。
【００３９】
＜商品サービス情報生成表示システム１０の動作の説明＞
次に、商品サービス情報生成表示システム１０の動作について、図４を用いて説明する。図４は、本発明の実施形態の処理手順の説明図であり、図５は、表示データ６４の説明図である。
【００４０】
まず、端末８０の利用者は、端末８０によって公衆回線２０を介して商品サービス情報生成サーバ３０に接続する（ステップＳ１）。商品サービス情報生成サーバ３０の利用者情報処理部３４は、通信部４６より公衆回線２０を介して、商品サービス情報生成サーバ３０へ接続するための利用者ＩＤ及びパスワードの入力を求める旨を端末８０に送信する。端末８０の表示画面には、前記入力を求める旨が表示される。利用者は、利用者ＩＤ及びパスワードを入力し、入力された利用者ＩＤ及びパスワードが商品サービス情報生成サーバ３０へ送信される。利用者情報処理部３４は、認証情報として利用者ＩＤ及びパスワードを取得する。
【００４１】
利用者情報処理部３４は、取得した利用者ＩＤ及びパスワードと、利用者情報テーブル５０に記憶されている利用者ＩＤ及びパスワードとを照合する（ステップＳ２）。端末８０から送信された利用者ＩＤがＩａ、パスワードＰａであるならば、利用者情報処理部３４は照合が一致したと判断する（ステップＳ２  ＹＥＳ）。また、利用者ＩＤ又はパスワードの少なくとも一方が一致しなかった場合には、再度の利用者ＩＤ又はパスワードの入力が求められる（ステップＳ２  ＮＯ）。
【００４２】
利用者情報処理部３４は、利用者情報テーブル５０から一致した利用者データの利用者検索キーワードを取得し、商品サービス一般情報処理部３６に送信する（ステップＳ３）。
【００４３】
商品サービス一般情報処理部３６は、受信した利用者検索キーワードに基づいて、商品サービス一般情報テーブル５２のヘルスケア一般検索キーワードを検索し、一致するヘルスケア一般データを検索し、判定する（ステップＳ４）。ここで、一致の判定は、キーワードを総合的に勘案して、機械学習の判断結果に基づいて、判断される。
【００４４】
商品サービス一般情報処理部３６は、商品サービス一般情報テーブル５２から一致した商品サービス一般データの商品サービス一般検索キーワードを取得し、利用者情報処理部３４及び商品サービス説明情報処理部３８に送信する（ステップＳ５）。
【００４５】
商品サービス一般情報処理部３６は、一致した商品サービス一般データの商品サービス一般個別情報を記憶部４４に記憶する（ステップＳ６）。また、商品サービス一般情報処理部３６は、上部データ６０と、商品サービス一般個別情報に応じて、着色データ６２ａとを生成し、記憶部４４に記憶する。
【００４６】
商品サービス説明情報処理部３８は、受信した商品サービス一般検索キーワードに基づいて、商品サービス説明情報テーブル５４の商品サービス説明検索キーワードを検索し、一致する商品サービス説明データを検索し、判定する（ステップＳ７）。一致の判定は、上述した利用者検索キーワードと商品サービス一般検索キーワードとの一致判定と同様に行われる。
【００４７】
商品サービス説明情報処理部３８は、商品サービス説明情報テーブル５４から一致した商品サービス説明データの商品サービス説明検索キーワードを取得し、商品サービス情報処理部４０に送信する（ステップＳ８）。
【００４８】
商品サービス説明情報処理部３８は、一致した商品サービス説明データの商品サービス説明個別情報を記憶部４４に記憶する（ステップＳ９）。また、商品サービス説明情報処理部３８は、商品サービス説明個別情報に応じて、着色データ６２ｂを生成し、記憶部４４に記憶する。
【００４９】
商品サービス情報処理部４０は、受信した商品サービス説明検索キーワードに基づいて、商品サービス情報テーブル５６の商品サービス検索キーワードを検索し、一致する商品サービスデータを検索し、判定する（ステップＳ１０）。一致の判定は、上述した利用者検索キーワードと商品サービス一般検索キーワードとの一致判定と同様に行われる。
【００５０】
商品サービス情報処理部４０は、一致した商品サービスデータの商品サービス個別情報を記憶部４４に記憶する（ステップＳ１１）。また、商品サービス情報処理部４０は、商品サービス個別情報に応じて、着色データ６２ｃを生成し、記憶部４４に記憶する。
【００５１】
表示制御部４２は、記憶部４４に記憶されている上部データ６０、着色データ６２ａ、商品サービス一般個別情報、着色データ６２ｂ、商品サービス説明個別情報、着色データ６２ｃ及び商品サービス個別情報を組み合わせて、表示データ６４を生成し、生成した表示データ６４を端末８０に送信する（ステップＳ１２）。ここで、表示データ６４は図５に示されるように生成される。
【００５２】
利用者情報処理部３４は、一致した商品サービス一般データの商品サービス一般検索キーワードを取得し、利用者情報テーブル５０の利用者検索キーワードを更新する（ステップＳ１３）。また、利用者情報処理部３４は、利用者情報テーブル５０の閲覧履歴を更新する（ステップＳ１４）。
【００５３】
図６は、表示内容の説明図である。図６Ａは、商品サービス一般個別情報表示内容６６を表示している状態を示す図であり、図６Ｂは、商品サービス一般個別情報表示内容６６及び商品サービス説明個別情報表示内容６８を表示している状態を示す図であり、図６Ｃは、商品サービス説明個別情報表示内容６８を表示している状態を示す図であり、図６Ｄは、商品サービス個別情報表示内容７０を表示している状態を示す図である。図６では、商品サービス一般個別情報表示内容６６、商品サービス説明個別情報表示内容６８、商品サービス個別情報表示内容７０が、この順番に組み合わせて生成されている。
【００５４】
ヘッダバー７２は、商品サービス一般個別情報の上部に生成される表示バーである。また、ヘッダバー７２は、端末表示部８８に表示される表示内容がスクロールする方向に対して、鉛直する方向に延在する。さらに、ヘッダバー７２は、着色データ６２ａ〜６２ｃに基づいて着色される。
【００５５】
サイドバー７４は、商品サービス一般個別情報、商品サービス説明個別情報及び商品サービス個別情報の各情報の側部に生成される表示バーである。また、サイドバー７４は、端末表示部８８に表示される表示内容がスクロールする方向に各情報量に応じて延在する。さらに、サイドバー７４は、着色データ６２ａ〜６２ｃに基づいて端末制御部８２によって着色される。
【００５６】
また、ヘッダバー７２の下部には、判定領域７６が設定される。端末制御部８２は、判定領域７６を通過する情報を監視し、商品サービス一般個別情報表示内容６６、商品サービス説明個別情報表示内容６８、商品サービス個別情報表示内容７０のいずれかの上端部が判定領域７６内に侵入したことを検知した場合に、ヘッダバー７２を着色データ６２ａ〜６２ｃに基づいて着色する。
【００５７】
次に、端末８０が商品サービス情報生成サーバ３０から送信された表示データ６４を受信した場合の端末表示部８８に表示される表示内容について、説明する。
【００５８】
まず、端末８０が商品サービス情報生成サーバ３０から送信された表示データ６４を受信する。端末８０の端末制御部８２は、上部データ６０、着色データ６２ａ、商品サービス一般個別情報、着色データ６２ｂ、商品サービス説明個別情報、着色データ６２ｃ及び商品サービス個別情報を抽出する。
【００５９】
端末制御部８２は、商品サービス一般個別情報の上部に上部データ６０に基づいてヘッダバー７２を生成する。また、端末制御部８２は、着色データ６２ａに基づいて商品サービス一般個別情報表示内容６６の側部にサイドバー７４を生成し、一般個別情報色ＣＹに着色する。さらに、端末制御部８２は、着色データ６２ａに基づいてヘッダバー７２を一般個別情報色ＣＹに着色する。一般個別情報色ＣＹは、例えば、黄色である。さらに、端末制御部８２は、着色データ６２ｂに基づいて商品サービス説明個別情報表示内容６８の側部にサイドバー７４を生成し、説明個別情報色ＣＢに着色する。説明個別情報色ＣＢは、例えば、青色である。また、端末制御部８２は、着色データ６２ｃに基づいて商品サービス個別情報表示内容７０の側部にサイドバー７４を生成し、個別情報色ＣＲに着色する。個別情報色ＣＲは、例えば、赤色である。
【００６０】
図６Ａに示されるように、商品サービス一般個別情報表示内容６６が表示され、ヘッダバー７２が一般個別情報色ＣＹに着色され、商品サービス一般個別情報表示内容６６の側部にサイドバー７４が一般個別情報色ＣＹに着色されて表示される。また、ヘッダバー７２には、着色データ６２ａに基づいて商品サービス一般個別情報表示内容６６の意味内容として「つたえる」を表示してもよい。
【００６１】
次に、利用者が端末表示部８８を操作し、商品サービス一般個別情報表示内容６６をスクロールした場合（「図示矢印方向」以下同様）に、端末制御部８２が商品サービス説明個別情報表示内容６８の上端部が判定領域７６内に侵入したことを検知したとする。かかる場合に、端末制御部８２は、着色データ６２ｂに基づいて、ヘッダバー７２を説明個別情報色ＣＢに着色する。
【００６２】
図６Ｂに示されるように、商品サービス一般個別情報表示内容６６及び商品サービス説明個別情報表示内容６８が表示され、ヘッダバー７２が説明個別情報色ＣＢに着色され、商品サービス説明個別情報表示内容６８の側部にサイドバー７４が説明個別情報色ＣＢに着色されて表示される。結果として、ヘッダバー７２は、一般個別情報色ＣＹから説明個別情報色ＣＢに色が変化する。また、ヘッダバー７２には、着色データ６２ｂに基づいて商品サービス説明個別情報表示内容６８意味内容として「まなべる」を表示してもよい。
【００６３】
次に、利用者が端末表示部８８を操作し、商品サービス説明個別情報表示内容６８をスクロールした場合に、図６Ｃに示されるように、商品サービス説明個別情報表示内容６８が表示され、ヘッダバー７２は説明個別情報色ＣＢに着色されたままで、商品サービス説明個別情報表示内容６８の側部のサイドバー７４も説明個別情報色ＣＢに着色されたまま表示される。
【００６４】
さらに、利用者が端末表示部８８を操作し、商品サービス説明個別情報表示内容６８をスクロールした場合に、端末制御部８２が商品サービス個別情報表示内容７０の上端部が判定領域７６内に侵入したことを検知すると、端末制御部８２は、着色データ６２ｃに基づいて、ヘッダバー７２を個別情報色ＣＲに着色する。ヘッダバー７２は、説明個別情報色ＣＢから個別情報色ＣＲに色が変化する。
【００６５】
さらにまた、利用者が端末表示部８８を操作し、商品サービス説明個別情報表示内容６８をスクロールした場合に、図６Ｄに示されるように、商品サービス説明個別情報表示内容６８が表示され、ヘッダバー７２は個別情報色ＣＲに着色されたままで、商品サービス説明個別情報表示内容６８の側部のサイドバー７４も個別情報色ＣＲに着色されたまま表示される。また、ヘッダバー７２には、着色データ６２ｃに基づいて商品サービス個別情報表示内容７０の意味内容として「みつかる」を表示してもよい。
【００６６】
商品サービス一般個別情報表示内容６６は、マスメディアから配信された健康、ヘルスケアに関するニュースを示す。商品サービス一般個別情報表示内容６６により、利用者は興味がある健康、ヘルスケアに関する情報について「つたえる」ことができる。
【００６７】
商品サービス説明個別情報表示内容６８は、商品サービス一般個別情報表示内容６６のニュースに関連した情報であって、専門機関で説明された情報を示す。商品サービス説明個別情報表示内容６８により、利用者は、興味がある健康、ヘルスケアに関する情報に関して、専門機関で説明された情報に基づいて「まなべる」ことができる。
【００６８】
商品サービス個別情報表示内容７０は、商品サービス説明個別情報表示内容６８の説明に関連した医療商品情報を示す。商品サービス個別情報表示内容７０により、利用者は、興味がある健康、ヘルスケアに関する課題が「みつかる」こととなる。
【００６９】
商品サービス情報生成表示システム１０は、商品サービス一般個別情報を有する商品サービス一般データが記録された商品サービス一般情報テーブル５２と、商品サービス説明個別情報を有する商品サービス説明データが記録された商品サービス説明情報テーブル５４と、商品サービス個別情報を有する商品サービスデータが記録された商品サービス情報テーブル５６と、前記商品サービス一般情報テーブル５２から前記商品サービス一般個別情報を取得する商品サービス一般情報処理部３６と、前記商品サービス説明情報テーブル５４から前記商品サービス説明個別情報を取得する商品サービス説明情報処理部３８と、前記商品サービステーブルから前記商品サービス個別情報を取得する商品サービス情報処理部４０と、を備え、取得された前記商品サービス一般個別情報と、取得された前記商品サービス説明個別情報と、取得された前記商品サービス個別情報とを有する表示データ６４を生成し、端末８０に前記表示データ６４を送信する商品サービス情報生成表示システムであって、前記表示データ６４は、ヘッダバーを表示するための上部データを有し、端末８０は、前記表示データ６４を受信し、前記着色データ６２及び表示データ６４に基づいて、前記ヘッダバー７２を着色し、前記表示データ６４を表示する。
【００７０】
商品サービス情報生成表示システムにおいて、前記表示データ６４は、ヘッダバー７２を表示するための上部データ６０を有し、前記端末８０は、前記表示データ６４を受信し、前記上部データ６０及び前記着色データ６２に基づいて、前記ヘッダバー７２を着色し、前記表示データ６４を表示する。
【００７１】
商品サービス情報生成表示システム１０では、表示内容に応じて、ヘッダバー７２及びサイドバー７４を色で峻別することにより、利用者は、閲覧対象を明確に認識することができる。
【００７２】
＜商品サービス情報生成表示システム１０の変形例の説明＞
次に、本発明の実施形態の変形例について説明する。図７は、本発明の実施形態の変形例に係る処理手順の説明図であり、図８Ａは、変形例の表示データの説明図であり、図８Ｂは、変形例の表示内容の説明図である。本発明の実施形態の変形例の処理手順のうち、ステップＳ１〜ステップＳ５は、上述した処理手順のステップＳ１〜ステップＳ５と同様であり、その説明を省略する。
【００７３】
ステップＳ５の処理後に、商品サービス一般情報処理部３６は、一致した商品サービス一般データの商品サービス一般個別情報を記憶部４４に記憶する（ステップＳ２０）。また、商品サービス一般情報処理部３６は、上部データ６０と、商品サービス一般個別情報に応じて、着色データ６２ａとを生成し、記憶部４４に記憶する。
【００７４】
商品サービス説明情報処理部３８は、受信した商品サービス一般検索キーワードに基づいて、商品サービス説明情報テーブル５４の商品サービス説明検索キーワードを検索し、一致する商品サービス説明データを検索し、判定する（ステップＳ２１）。一致の判定は、上述した利用者検索キーワードと商品サービス一般検索キーワードとの一致判定と同様に行われる。
【００７５】
商品サービス説明情報処理部３８は、商品サービス説明情報テーブル５４から一致した商品サービス説明データの商品サービス説明検索キーワードを取得し、商品サービス情報処理部４０に送信する（ステップＳ２２）。
【００７６】
商品サービス説明情報処理部３８は、一致した商品サービス説明データの商品サービス説明個別情報を記憶部４４に記憶する（ステップＳ２３）。また、商品サービス説明情報処理部３８は、商品サービス説明個別情報に応じて、着色データ６２ｂを生成し、記憶部４４に記憶する。
【００７７】
表示制御部４２は、記憶部４４に記憶されている上部データ６０、着色データ６２ａ、商品サービス一般個別情報、着色データ６２ｂ、商品サービス説明個別情報を組み合わせて、表示データ６４Ａを生成し、生成した表示データ６４Ａを端末８０に送信する（ステップＳ２４）。ここで、表示データ６４Ａは図８Ａに示されるように生成される。
【００７８】
利用者情報処理部３４は、一致した商品サービス一般データの商品サービス一般検索キーワードを取得し、利用者情報テーブル５０の利用者検索キーワードを更新する（ステップＳ２５）。また、利用者情報処理部３４は、利用者情報テーブル５０の閲覧履歴を更新する（ステップＳ２６）。
【００７９】
次に、端末８０が商品サービス情報生成サーバ３０から送信された表示データ６４Ａを受信した場合の端末表示部８８に表示される表示内容について、説明する。
【００８０】
上述した実施形態と同様に、端末８０が商品サービス情報生成サーバ３０から送信された表示データ６４Ａを受信する。端末８０の端末制御部８２は、上部データ６０、着色データ６２ａ、商品サービス一般個別情報、着色データ６２ｂ、商品サービス説明個別情報を抽出する。端末制御部８２は、商品サービス一般個別情報の上部に上部データ６０に基づいてヘッダバー７２を生成する。
【００８１】
端末制御部８２は、着色データ６２ａに基づいて商品サービス一般個別情報表示内容６６の側部にサイドバー７４を生成し、一般個別情報色ＣＹに着色する。また、端末制御部８２は、着色データ６２ｂに基づいて商品サービス説明個別情報表示内容６８の側部にサイドバー７４を生成し、説明個別情報色ＣＢに着色する。
【００８２】
次に、利用者が端末表示部８８を操作し、商品サービス一般個別情報表示内容６６をスクロールした場合に、図８Ｂに示されるように、商品サービス一般個別情報表示内容６６が表示され、ヘッダバー７２及び商品サービス説明個別情報表示内容６８の側部のサイドバー７４は一般個別情報色ＣＹに着色されて表示される。
【００８３】
また、利用者が端末表示部８８を操作し、商品サービス一般個別情報表示内容６６をスクロールした場合に、端末制御部８２が商品サービス説明個別情報表示内容６８の上端部が判定領域７６内に侵入したことを検知すると、端末制御部８２は、着色データ６２ｂに基づいて、ヘッダバー７２を説明個別情報色ＣＢに着色する。ヘッダバー７２は、一般個別情報色ＣＹから説明個別情報色ＣＢに色が変化する。
【００８４】
さらに、利用者が端末表示部８８を操作し、商品サービス説明個別情報表示内容６８をスクロールした場合に、図８Ｃに示されるように、商品サービス個別情報表示内容７０が表示され、上部データ６０は説明個別情報色ＣＢに着色されたままで、商品サービス説明個別情報表示内容６８の側部のサイドバー７４も説明個別情報色ＣＢに着色されたまま表示される。
【００８５】
商品サービス情報生成表示システム１０は、商品サービス一般個別情報を有する商品サービス一般データが記録された商品サービス一般情報テーブル５２と、商品サービス説明個別情報を有する商品サービス説明データが記録された商品サービス説明情報テーブル５４と、前記商品サービス一般情報テーブル５２から前記商品サービス一般個別情報を取得する商品サービス一般情報処理部３６と、前記商品サービス説明情報テーブル５４から前記商品サービス説明個別情報を取得する商品サービス説明情報処理部３８と、を備え、取得された前記商品サービス一般個別情報と、取得された前記商品サービス説明個別情報と、着色データ６２とを有する表示データ６４を生成し、端末８０に前記表示データ６４を送信する商品サービス情報生成表示システムであって、前記端末８０は、前記表示データ６４を受信し、前記着色データ６２に基づいて、前記商品サービス一般個別情報及び前記商品サービス説明個別情報の側部を着色し、前記表示データ６４を表示する。
【００８６】
上述した商品サービス情報生成サーバ３０は、例えば、図９に示すような構成のコンピュータ１００によって実現される。図９は、商品サービス情報生成サーバ３０の機能を実現するコンピュータ１００の一例を示すハードウェアの説明図である。コンピュータ１００は、ＣＰＵ１１０、ＲＡＭ１２０、ＲＯＭ１３０、補助記憶部１４０、ネットワークインターフェイス（ＮＷ  Ｉ／Ｆ）１５０、入力部１６０、出力部１７０及び記憶媒体インターフェイス（記憶媒体Ｉ／Ｆ）１８０を備える。これらの各部は、バス１９０によって接続される。
【００８７】
＜プログラムに係る実施形態の説明＞
ＣＰＵ１１０は、ＲＯＭ１３０又は補助記憶部１４０に記憶されたプログラムに基づいて動作し、各部を制御する。ＲＯＭ１３０には、コンピュータ１００の起動時にＣＰＵ１１０によって実行されるＢＩＯＳ（Basic Input Output System）等のブートプログラムや、コンピュータ１００のハードウェアに依存するプログラム等が記憶される。
【００８８】
補助記憶部１４０は、大容量記憶部である。補助記憶部１４０には、ＣＰＵ１１０によって実行されるプログラム、及び、前記プログラムによって使用されるデータ等が記憶されている。
【００８９】
ネットワークインターフェイス１５０は、公衆回線２０を介して、コンピュータ１００が端末８０と接続するためのネットワークインターフェースである。
【００９０】
入力部１６０は、キーボード、マウス等の入力デバイスである。入力デバイスとしては、タッチパネル、カメラ、マイク等が含まれてもよい。
【００９１】
出力部１７０は、ディスプレイ等の表示部である。また、出力部１７０には、スピーカが含まれてもよい。
【００９２】
記憶媒体インターフェイス１８０は、記録媒体に記憶されたプログラム又はデータを読み取り、ＲＡＭ１２０を介してＣＰＵ１１０に提供する。記録媒体としては、例えば、ＤＶＤ、ＤＶＤ−ＲＡＭ、Ｂｌｕ−ｒａｙ（登録商標）Ｄｉｓｋ等の光学記録媒体、フラッシュメモリ等の半導体メモリ、ＭＯ等の光磁気記録媒体、テープ媒体、磁気記録媒体等である。
【００９３】
コンピュータ１００が商品サービス情報生成サーバ３０として機能する場合、ＣＰＵ１１０は、補助記憶部１４０からプログラムを読み取り、ＲＡＭ１２０上にロードされたプログラムを実行することにより、商品サービス情報生成サーバ３０の機能を実現する。また、ＣＰＵ１１０は、記憶媒体インターフェイス１８０を介して、記録媒体からプログラムを読み取り、ＲＡＭ１２０上にロードされたプログラムを実行することにより、商品サービス情報生成サーバ３０の機能を実現してもよい。
【００９４】
なお、コンピュータ１００は、商品サービス情報生成サーバ３０の機能を実行するための構成の一例を示したものであり、コンピュータ１００を構成要素以外のハードウェアを排除するものではない。また、これらの構成を全て備える必要もない。例えば、補助記憶部１４０、記憶媒体インターフェイス１８０を備えない構成であってもよい。
【００９５】
商品サービス情報生成プログラムは、商品サービス一般情報テーブル５２には、商品サービス一般個別情報を有する商品サービス一般データが記録され、商品サービス説明情報テーブル５４には、商品サービス説明個別情報を有する商品サービス一般データが記録され、前記商品サービス一般情報テーブル５２から前記商品サービス一般個別情報を取得する商品サービス一般情報処理工程と、前記商品サービス説明情報テーブル５４から前記商品サービス説明個別情報を取得する商品サービス説明情報処理工程と、取得された前記商品サービス一般個別情報と、前記商品サービス説明個別情報と、着色データ６２とを有する表示データ６４を生成する工程と、コンピュータ１００に実行させ、前記着色データ６２に基づいて、前記商品サービス一般個別情報及び前記商品サービス説明個別情報の側部が着色される。
【００９６】
商品サービス情報生成プログラムにおいて、商品サービス情報テーブル５６に商品サービス個別情報を有する商品サービスデータが記録され、前記商品サービステーブルから前記商品サービス個別情報を取得する商品サービス情報処理工程を、前記コンピュータ１００に実行させ、前記表示データ６４は、前記商品サービス個別情報を有し、前記着色データ６２に基づいて、前記商品サービス一般個別情報、前記商品サービス説明個別情報及び前記商品サービス個別情報の側部が着色される。
【００９７】
商品サービス情報生成プログラムにおいて、前記表示データ６４は、ヘッダバー７２を表示するための上部データ６０を有する。
【００９８】
なお、本発明は、上述の実施形態に限らず、本発明の要旨を逸脱することなく、種々の構成を採り得ることはもちろんである。
【００９９】
例えば、上述の実施形態では、商品サービス一般情報処理部３６が、商品サービス一般個別情報の上部を着色するための上部データ６０を生成していたが、商品サービス説明情報処理部３８、商品サービス情報処理部４０が生成しても良い。
【０１００】
上述した実施形態では、サイドバー７４は、商品サービス一般個別情報表示内容６６、商品サービス説明個別情報表示内容６８、商品サービス個別情報表示内容７０の左側部に生成されていたが、利用者が閲覧対象を明確に認識することができれば、これに限られるものではない。例えば、商品サービス一般個別情報表示内容６６、商品サービス説明個別情報表示内容６８、商品サービス個別情報表示内容７０の右側部や両側部にサイドバー７４を生成しても良い。
【０１０１】
上述の実施形態では、商品サービス一般個別情報として、健康、ヘルスケアに関するニュース、報道等であったが、これに限定されるものではない。例えば、ファッション、旅行、観光、飲食に関するニュース、報道等であってもよい。
【０１０２】
上述の実施形態では、商品サービス説明個別情報として、健康、ヘルスケアに関する説明であったが、これに限定されるものではない。例えば、ファッション、旅行、観光、飲食に関する説明であってもよい。
【０１０３】
上述の実施形態では、商品サービス個別情報として、医療機関の情報、商品名、価格、用途、効能等に関する情報であったが、これに限定されるものではない。例えば、ファッション、旅行、観光、飲食に関する商品、提供されるサービスであってもよい。
【０１０４】
上述の実施形態では、利用者個別情報として、利用者名等が利用者情報テーブル５０に記録されているが、利用者を特定できる情報であれば、これに限定されるものではない。例えば、利用者の端末のＳＩＭ（Subscriber Identity Module）カードに記録された加入者を特定するためのＩＤ番号や、利用者の端末の端末情報や、利用者の端末の位置情報、利用者の勤務会社であってもよい。
【０１０５】
上述の実施形態では、ステップＳ３において、一致の判断は、キーワードを総合的に勘案した機械学習の判断結果に基づいて行っていたが、一致の判断が適切であれば、これに限定されるものではない。例えば、キーワードの点数の合計点で判断される。具体的には、各キーワードに重要度によって重み付けを設定し、利用者検索キーワードに基づいて、ヘルスケア一般検索キーワードを検索し、一致したキーワードの点数を集計して、最も点数が高い場合に一致したと判定してもよい。また、利用者検索キーワードとヘルスケア一般検索キーワードを照合し、一致したキーワード数で判断してもよい。
【０１０６】
また、上述の実施形態では、ステップＳ３、ステップＳ４において、利用者検索キーワードに基づいて処理していたが、利用者検索キーワード及び利用者情報テーブル５０の閲覧履歴に基づいて、処理してもよい。
【０１０７】
さらに、上述の実施形態の制御部３２、ＣＰＵ１１０の演算処理の一部をＧＰＵ（Graphics Processing Unit）によって行ってもよい。
【符号の説明】
【０１０８】
１０…商品サービス情報生成表示システム
２０…公衆回線
３０…商品サービス情報生成サーバ
３２…制御部
３４…利用者情報処理部
３６…商品サービス一般情報処理部
３８…商品サービス説明情報処理部
４０…商品サービス情報処理部
４２…表示制御部
４４…記憶部
４６…通信部
４８…データベース部
５０…利用者情報テーブル
５２…商品サービス一般情報テーブル
５４…商品サービス説明情報テーブル
５６…商品サービス情報テーブル
５８、９０…バス
６０…上部データ
６２…着色データ
６４…表示データ
６６…商品サービス一般個別情報表示内容
６８…商品サービス説明個別情報表示内容
７０…商品サービス個別情報表示内容
７２…ヘッダバー
７４…サイドバー
７６…判定領域
８０…端末
８２…端末制御部
８４…端末記憶部
８６…端末通信部
８８…端末表示部
ＣＹ…一般個別情報色
ＣＢ…説明個別情報色
ＣＲ…個別情報色
１００…コンピュータ
１１０…ＣＰＵ
１２０…ＲＡＭ
１３０…ＲＯＭ
１４０…補助記憶部
１５０…ネットワークインターフェイス（ＮＷ  Ｉ／Ｆ）
１６０…入力部
１７０…出力部
１８０…記憶媒体インターフェイス（記憶媒体Ｉ／Ｆ）
【図１】
2020030451.tif 000003
【図２】
2020030451.tif 000004
【図３】
2020030451.tif 000005
【図４】
2020030451.tif 000006
【図５】
2020030451.tif 000007
【図６】
2020030451.tif 000008
【図７】
2020030451.tif 000009
【図８】
2020030451.tif 000010
【図９】
2020030451.tif 000011